(57)【要約】  本発明は、試験及び研究に基づく新規なプロセス、方法、又は装置である。発明は独創的な努力又は設計である。多くの発明が我々の生活を変えることによって我々は生活している。多くの重要な発明は有史以前になされ、ある発明は自然の熱を利用する。本発明は制御された自然熱を利用する。熱はギリシャ時代、熱いことを意味する単語から派生している。熱の定義を見ると熱の発生と関係するのが理解される。木炭、粉鉄、食塩及び水のような成分は結合され自然熱を発生する。これが熱的に温める靴のインサートの考えの基である。  これらは以前に存在しなかった。これは環境に優しく捨てることのできる生物分解性のインサートである。これは冬の過酷な低温下に靴の内部を温める。
2008543408.tif 000002
【特許請求の範囲】
【請求項１】
温熱インサートは男女両用の中敷であり、家族の殆ど誰にでも用いられる。温熱靴インサートは自然で安全、且つ制御された低度の熱、皮膚に火傷を負わさない低度の熱を発生する。温熱インサートは上限８時間まで、制御された安全な熱を発生する。温熱靴インサートは生分解性で、環境に優しく、ごみとして廃棄でき、必要に応じた頻度で交換できる。
煌めく氷の結晶が雲から落ちる寒い天候の地域では、冷たく、風の吹きすさぶ、場合によっては凍りつくような温度に身を曝されることがある。温熱インサートはこれ等の条件下で用いるとき効果が特に大きい。温熱インサートは男女両用の中敷である。家族の殆ど誰にでも用いられる。
温熱インサートは、冬季ブーツ、一般靴及び作業靴の内側に挿入することができる。アウトドア・ウィンタースポーツ・アスリートによっても楽しまれるものでもある。靴の中敷に合うように切り整えられる。人目を引くことが無く、靴の内側に余分な空間を殆ど取ることが無い。安全であり、使用が簡単である。
【発明の詳細な説明】
【技術分野】
【０００１】
温熱インサートは布状材料の軟質層から成る。これ等層間には、炭（チャコール）、鉄粉、食卓塩、チオ硫酸ナトリウム、塩化ナトリウム及び水のような自然の化学的活性成分をもつ微小圧縮孔がある。これ等化学物質が組み合わされ、酸素に曝されると、安全な自然熱を発生する。適宜少量の化学成分が抗熱性材料の層間に置かれ、アルミニウム包装内に空気から離して密封されていると、包装から出され、空気に曝されるまでの間、そのまま元の状態に留まる。包装から出され、空気に曝され、これ等化学物質が一緒になると、活性状態になり、自然熱を発生する。
【０００２】
インサートが空気に曝されると、上限８時間の間、自然の制御された低度の熱を発生する。これ等化学成分の量は、発生する熱が皮膚を火傷させない程度の少量とする。化学的に加熱されるインサートは体の部分を暖める仕方に革命をもたらし、将来に対する新しい趨勢を起こすものと考えられる。
各図は本発明の実施態様を示し、インサートの組み立て方法に関する一般的な考えを与える。全てのインサートは靴の大きさに応じた靴の中敷に合うように切り整えられる。
【０００３】
層１及び２の底部には、抗熱性接着剤の薄層が塗られて全層を一体に固着する。完成インサ−トは最上部がかたまりやこぶの無い、滑らかなものであって、アルミ包装内への挿入、封入が可能なようにしている。
【０００４】
使用時には、足が混毛ソックス又は絹のストッキングで覆われるべきである。ナイロンのストッキングは推奨されない。循環問題のある、又は足の腫れ易い人は本発明のインサートを用いるべきでない。幼児又は１２才未満の子供の靴内には挿入されるべきではない。更に、この製品はその内部の成分が鉄を含む場合があり、飲み込むと有害となる場合もあるので、子供の手の届かないところに保管されるべきである。
【図面の簡単な説明】
【０００５】
【図１】最上層は軟質パテッド(patted)平滑布状材料から成る。この材料は熱を足まで通す微細な顕微鏡的孔を有する。
【図２】空気に曝されると、熱を発生する「炭、粉末鉄、食塩及び水の小片」のような化学成分を充填した幾つもの小又は中程度の大きさの孔を収容する部分である。足の内側から視た、図１と同様の、本発明に係る装置の概略図である。
【図３】この第２の化学物質充填有孔層が載る、厚みが中程度のしっかりした支持材料の底部最終層である。この層は熱がインサートの底部を通るのを阻止し、足を暖めるため全熱を上昇させ、上記最上材料層を通して貫通させる抗熱及び耐熱材料から成る。
【図４】靴の内部の靴中敷上に置かれようとしている、一体に完成されたインサート中敷である。図３のヒンジ副子を上から視た、その概略図である。
【図５】使用されるまでの間、完成インサート中敷が収容されるアルミ包装である。
【図１】
2008543408.tif 000003
【図２】
2008543408.tif 000004
【図３】
2008543408.tif 000005
【図４】
2008543408.tif 000006
【図５】
2008543408.tif 000007
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
材料が炭、鉄粉、塩及び水を含んで成る材料をもつ層を備える温熱靴インサート。
【請求項２】
材料が更にチオ硫酸ナトリウムを含んで成る温熱靴インサート。
【手続補正２】
【補正対象書類名】明細書
【補正対象項目名】全文
【補正方法】変更
【補正の内容】
【書類名】明細書
【発明の名称】温熱靴インサート（化学）
【技術分野】
【０００１】
本発明は靴インサート（挿入物）、特に温熱靴インサートに関する。
【背景技術】
寒い日に足の暖を保つことはかねがね問題であった。場合によっては、足が適度の温度に保たれていないと、つま先が霜やけ、凍傷に負けてしまうことがある。
【発明の開示】
【発明が解決しようとする課題】
【０００２】
本発明はこの問題に取り組むものである。
【課題を解決するための手段】
【０００３】
この目的は、本発明による足保温用温熱靴インサートにより達成される。これは、炭（チャコール）、鉄粉、食卓塩及び水を組み合わせて熱を生成するものである。本発明の利点は環境に優しく、使い捨てでき、生分解性のあることでもある。
【実施態様】
【０００４】
本発明は、布状材料の軟質層から作られ、これら層間には炭、鉄粉、食卓塩（塩化ナトリウム）及び／又はチオ硫酸ナトリウム及び水を含む自然活性化学成分をもつ微小圧縮孔のある温熱靴インサートに関する。これ等化学物質が組み合わされ、酸素に曝されると、安全な自然熱を発生する。適宜少量のこれ等化学成分が抗熱性材料の層間に挿入され、アルミニウム包装内に密封されていると、それ等は不活性のままであるが、包装から出され、空気に曝され、これ等化学物質が一緒になると、活性状態になり、自然熱を発生する。靴インサートが空気に曝されると、上限８時間の間、自然の、制御された低度の熱を発生する。これ等化学成分の量は熱を発生するが、皮膚を火傷させない程度の少量である。  
【０００５】
より詳しくは、本発明の温熱インサートは熱を足まで通すことのできる微細な顕微鏡的孔のある、柔らかいパデッド（詰め物入り）平滑布状材料から成る最上層と、空気に曝されて熱を発生する炭、鉄粉、食卓塩の小片等の化学成分及び水を充填した幾つもの小又は中程度の大きさの孔を有する中間層と、この中間の化学物質充填有孔層が載る、厚みが中程度のしっかりした材料から成る底部層とを有する。底部層は抗及び耐熱性材料から形成され、熱がインサートの底部を通るのを阻止し、足を暖めるため全熱を上昇させ、上記最上材料層を通して貫通させる。抗熱性接着剤の薄層がこれ等層間に塗られ、全層を固着して、完成インサ−トは最上部がかたまりやこぶが無い、滑らかなものであって、アルミ包装内への挿入、封入が可能なようにしている。
【０００６】
本発明の温熱インサートの使用時には、着用者がその足を混毛ソックス又は絹のストッキングで覆うことが推奨される。ナイロンのストッキングは推奨されない。循環問題のある、又は足の腫れ易い人は本発明のインサートを用いないことが勧められる。本発明は幼児又は１２才未満の子供の靴内には挿入されるべきではない。更に、本発明の温熱インサートはその内部の成分が鉄を含む場合があり、飲み込むと有害となる場合もあるので、子供の手の届かないところに保管されるべきである。
【０００７】
本発明の温熱インサートは家庭の殆ど誰にでも用い得る男女両用インサートである。本発明の温熱インサートは、冬季ブーツ、一般靴及び作業靴の内側に挿入することができる。アウトドア・ウィンタースポーツ・アスリートによっても利用されるものでもある。任意の靴に合うように切り整えられる。人目を引くことが無く、靴の内側に余分な空間を取ることが無い。安全であり、使用が簡単である。
【０００８】
本発明の温熱靴インサートは自然で安全、且つ制御された低度の熱、皮膚に火傷を負わさない低度の熱を発生する。本発明の温熱インサートは上限８時間まで、制御された安全な熱を発生する。本発明の温熱靴インサートは生分解性で、環境に優しく、ごみとして廃棄でき、必要に応じた頻度で交換できる。
【０００９】
本発明の温熱靴インサートは冷たく、風の吹きすさぶ、場合によっては凍りつくような温度に身を曝される寒い天候下で用いるとき効果が特に大きい。
【００１０】
添付図面は本発明の実施態様並びにその実施及び使用方法を例示している。
【図面の簡単な説明】
【００１１】
【図１】  足まで熱を通す微細な顕微鏡的孔のある、柔らかいパデッド（詰め物入り）平滑布状材料から成る最上層を示す。
【図２】  空気に曝されて熱を発生する炭、鉄粉、食卓塩の小片等の化学成分及び水を充填した幾つもの小又は中程度の大きさの孔を有するインサートの中間部を示す。
【図３】  上記中間の化学物質充填有孔層が載る、厚みが中程度のしっかりした材料から成る底部層を示す。この層は抗及び耐熱性材料から形成され、熱がインサートの底部を通るのを阻止し、足を暖めるため全熱を上昇させ、上記最上材料層を通して貫通させる。
【図４】  靴の内部の靴中敷上に置かれようとしている、本発明の一実施態様による組み立て済み温熱インサートを示す。
【図５】  使用されるまでの間保管のため、アルミ包装に封入されようとしている本発明による組み立て済み温熱インサートを示す。
【図６】  靴のサイズに応じて靴の底部の形状に切り整えられた、滑らかなで薄い抗熱性布状材料の層を示す。
【図７】  耐熱性材料から成る透明で滑らかなしっかりした層を示す。
【図８】  図６及び図７の層同士を一緒にし、固着させるため重ね合わせて接着させようとするものを示す。
【図９】  固着させた図６の層と図７の層を示す。
【図１０】  炭、鉄粉、塩及び他の化学物質の混合物が掬い取られている様子を示す。
【図１１】  掬い取った混合物を、抗熱性プラスチックから成る腎臓形状の容器（小袋）に充填する様子を示す。
【図１２】  充実（一杯になった）充填腎臓形状容器（小袋）を示す。
【図１３】  この充実充填腎臓形状容器が載る、しっかりした布層を示す。
【図１４】  固着、戴置された図６，７，１２及び１３の４つの積層を示す。
【図１５】  図１４の積層の上に戴置されようとしている、薄い布状材料のカバー層を示す。
【図１６】  図１５の薄いカバー層が図１４の積層に戴置、固着されたものを示す。
【図１７】  熱を流通させる顕微鏡的孔を表面に亘って貫通させた、柔らかで滑らかな最終上部カバーを示す。この層を図６〜１５の積層上に戴置、固着させて、本発明の一実施例を完成する。
【図１８】  この一実施例による完成された温熱インサートを示す。
【図１９】  靴のサイズに応じて靴の底部の形状に切り整えられた、滑らかなで薄い抗熱性布状材料の層を示す。
【図２０】  耐熱性材料から成る透明、且つで滑らかでしっかりした層を示す。
【図２１】  図１９及び図２０の層同士を一緒にし、重ね合わせて接着剤で固着させたものを示す。
【図２２】  耐熱プラスチックカバーの内側に封入された、鉄粉鉄、炭、塩及び水等の成分配合物のピロー状小体を示す。これ等ピロー状小体は図示のように踵部及び趾部又はインサート（図示せず）の至る所に配置されて良い。これ等ピロー状小体は図２１の層に亘って適宜位置付けられる。
【図２３】  これ等ピロー状小体上に戴置されようとしている、滑らかなで薄い抗熱性布状材料の層を示す。
【図２４】  その生成物を示す。
【図２５】  熱を流通させる顕微鏡的孔を表面に亘って貫通させた、柔らかで滑らかな最終上カバーを示す。これが上部に戴置され、固着される。
【図２６】  このもう一つの実施例による完成された温熱インサートを示す。
【手続補正３】
【補正対象書類名】図面
【補正対象項目名】全図
【補正方法】変更
【補正の内容】
【書類名】図面
【図１】
2008543408.tif 000008
【図２】
2008543408.tif 000009
【図３】
2008543408.tif 000010
【図４】
2008543408.tif 000011
【図５】
2008543408.tif 000012
【図６】
2008543408.tif 000013
【図７】
2008543408.tif 000014
【図８】
2008543408.tif 000015
【図９】
2008543408.tif 000016
【図１０】
2008543408.tif 000017
【図１１】
2008543408.tif 000018
【図１２】
2008543408.tif 000019
【図１３】
2008543408.tif 000020
【図１４】
2008543408.tif 000021
【図１５】
2008543408.tif 000022
【図１６】
2008543408.tif 000023
【図１７】
2008543408.tif 000024
【図１８】
2008543408.tif 000025
【図１９】
2008543408.tif 000026
【図１０】
2008543408.tif 000027
【図２１】
2008543408.tif 000028
【図２２】
2008543408.tif 000029
【図２３】
2008543408.tif 000030
【図２４】
2008543408.tif 000031
【図２５】
2008543408.tif 000032
【図２６】
2008543408.tif 000033
【国際調査報告】
2008543408.tif 000034